(57)【要約】【課題】ブルーレイディスクの種類を、誤判別なく、的確に判別することができる光ディスク装置を提供する。【解決手段】制御部１１は、所定のレーザ強度を示すレーザ光をLDに照射させ、RFアンプ５で生成されるAS信号とMPP信号とを取得する。さらに、制御部１１は、ブルーレイディスク２のレイヤー数Lを調査する。制御部１１は、レイヤー数Lと、AS信号のレベルASと、MPP信号の振幅MTEの逆数と、に基づいて判別値を算出する。この判別値には、L×AS２／MTEで算出される第１判別値、L×AS／MTEで算出される第２判別値、L×AS／MTE２で算出される第３判別値等がある。そして、制御部１１は、算出した判別値に基づいて、ブルーレイディスク２が再生専用型のディスクであるか記録型のディスクであるか判別する。【選択図】  図７
2010140570.tif 000002
【特許請求の範囲】
【請求項１】
ブルーレイディスクに対してレーザ光をレンズを介して照射し、その反射光をフォトディテクタで受光するピックアップと、
前記フォトディテクタが受光した全光量に対応する電気信号の総和を示す全光量信号を生成する第１生成手段と、
前記ブルーレイディスクのトラックの接線方向に対して２分割された、前記フォトディテクタの受光量の差を示すメインプッシュプル信号を生成する第２生成手段と、を備える光ディスク装置において、
前記ブルーレイディスクが装置本体にセットされると、レーザ光を照射するよう前記ピックアップに指示するとともに、前記ブルーレイディスクに存在する情報記録層の数を調査する判別手段を備え、
前記判別手段は、前記第１生成手段で生成された前記全光量信号のレベルと、前記第２生成手段で生成された前記メインプッシュプル信号の振幅の逆数と、調査した前記情報記録層の数と、に基づいて、前記ブルーレイディスクが再生専用のディスクであるか記録可能なディスクであるか判別することを特徴とする光ディスク装置。
【請求項２】
前記判別手段は、
前記全光量信号のレベルをAS（mV）、
前記メインプッシュプル信号の振幅をMTE（mV）、
前記情報記録層の数をL、としたとき、
L×AS／MTE、L×AS２／MTE、又はL×AS／MTE２
で算出される値の内のいずれかの値に基づいて、前記ブルーレイディスクが再生専用のディスクであるか記録可能なディスクであるか判別することを特徴とする請求項１に記載の光ディスク装置。
【請求項３】
前記判別手段によって判別される前記ブルーレイディスクの種類は、再生専用のBD−ROM、追記録型のBD−R、及び書き換え型のBD−REであることを特徴とする請求項１又は２に記載の光ディスク装置。
【発明の詳細な説明】
【技術分野】
【０００１】
本発明は、ブルーレイディスクを再生する光ディスク装置に関し、特に、再生に先立ってブルーレイディスクの種類を判別する光ディスク装置に関するものである。
【背景技術】
【０００２】
近年、ブルーレイディスクの種類が多様化しており、１つの光ディスク装置で複数種類のブルーレイディスクを再生することが必要とされている。ブルーレイディスクの種類には、再生専用のBD−ROM、追記録型のBD−R（Blue-Ray Disc Recordable）、書き換え型のBD−RE（Blue-Ray Disc Rewritable）がある。さらに、BD−Rには、記録層に有機系素材を使用し、レーザ光を照射して反射率を下げることで記録するLTH（Low To High）型のBD−Rと、記録層に無機系素材を使用し、レーザ光を照射して反射率を上げることで記録するHTL（High To Low）型のBD−Rと、がある。また、各種類のブルーレイディスク２には、１層（Single）型のディスク，２層（Dual）型のディスク等がある。
【０００３】
このように、ブルーレイディスクの種類が多様化していることから、光ディスク装置においては、ブルーレイディスクの種類を的確に判別し、それぞれのブルーレイディスクに応じた再生制御を行うことが必要となる。
【０００４】
そこで、従来の光ディスク装置では、ブルーレイディスクがセットされると、ブルーレイディスクに対してレーザ光をピックアップから照射してその反射率を計測し、BD−ROM、BD−R及びBD−REのそれぞれの反射率の違いに基づいてブルーレイディスクの種類を判別する判別方法を採用していた。
なお、特許文献１では、CD規格の光ディスクとDVD規格の光ディスクの種類を判別する光ディスク装置が提案されている。
【特許文献１】特開２００１−３５１３１５公報
【発明の開示】
【発明が解決しようとする課題】
【０００５】
しかしながら、上記判別方法では、BD−ROMと１層型のBD−REとの反射率の違いが小さいため、ピックアップやブルーレイディスクの個体差によっては誤判別してしまうことがあった。ブルーレイディスクの種類を誤判別してしまうと、BD−ROMと１層型のBD−REではトラッキングエラー信号の生成方式等が異なるため、ブルーレイディスクを再生することができない。よって、従来の光ディスク装置では、この誤判別により、光ディスク装置が故障してしまったのではないかとユーザに誤解されるおそれがあった。
【０００６】
また、上記判別方法では、BD−ROMとLTH型のBD−Rとの反射率がほぼ同じであるため、両者を判別することができなかった。そのため、BD−ROM及びLTH型のBD−Rと、その他のブルーレイディスクと、を判別した後に、BD−ROMとLTH型のBD−Rとを上記判別方法と別の方法でさらに判別しなければならなかった。そのため、従来の光ディスク装置では、ブルーレイディスクの判別に時間を要していた。従って、ユーザはブルーレイディスクを装置本体にセットしてから長時間待たされてしまうという問題があった。
【０００７】
本発明はこのような従来の課題を解決しようとするものであり、ブルーレイディスクの種類を、誤判別なく、的確に判別することができる光ディスク装置を提供することを目的とする。
【課題を解決するための手段】
【０００８】
本発明の光ディスク装置は、前記課題を解決するために以下の構成を備えている。
【０００９】
（１）ブルーレイディスクに対してレーザ光をレンズを介して照射し、その反射光をフォトディテクタで受光するピックアップと、
前記フォトディテクタが受光した全光量に対応する電気信号の総和を示す全光量信号を生成する第１生成手段と、
前記ブルーレイディスクのトラックの接線方向に対して２分割された、前記フォトディテクタの受光量の差を示すメインプッシュプル信号を生成する第２生成手段と、を備える光ディスク装置において、
前記ブルーレイディスクが装置本体にセットされると、レーザ光を照射するよう前記ピックアップに指示するとともに、前記ブルーレイディスクに存在する情報記録層の数を調査する判別手段を備え、
前記判別手段は、前記第１生成手段で生成された前記全光量信号のレベルと、前記第２生成手段で生成された前記メインプッシュプル信号の振幅の逆数と、調査した前記情報記録層の数と、に基づいて、前記ブルーレイディスクが再生専用のディスクであるか記録可能なディスクであるか判別することを特徴とする。
【００１０】
この構成において、判別手段は、レーザ光を照射するようピックアップに指示すると、第１生成手段と第２生成手段で生成されるAS信号とMPP信号を取得する。さらに、判別手段は、ブルーレイディスクのレイヤー数を調査する。判別手段は、レイヤー数と、AS信号のレベルと、MPP信号の振幅の逆数と、に基づいてブルーレイディスクが再生専用型のディスクであるか記録型のディスクであるか判別する。例えばレイヤー数とAS信号のレベルと乗算した値にMPP信号の振幅の逆数を乗算した判別値を判別に用いた場合、その判別値の閾値を設定できる範囲を示す判別余裕度が従来の判別余裕度と比べて非常に大きいことが実験により明らかとなっている。そのため、その判別余裕度の広さから、ピックアップやブルーレイディスクの個体差を考慮した閾値に設定できる。よって、ピックアップやブルーレイディスクの個体差によって誤判別することが無い。また、同判別値を採用した場合、BD−ROMの判別値とLTH型のBD−Rの判別値との違いが大きいことが実験により明らかとなっている。そのため、BD−ROMとLTH型のBD−Rとを的確に判別できる。
以上より、ブルーレイディスクの種類を、誤判別なく、的確に判別することができる。従って、誤判別により再生されず、光ディスク装置が故障してしまったのではないかとユーザに誤解されるおそれが無い。また、ユーザを長時間待たせてしまうのを防ぐことができる。
なお、ブルーレイディスクが再生専用型のBD−ROMであると判別すれば、判別手段は、BD−ROMに応じた再生制御（即ち、位相差法による再生など）を行う。
【００１１】
（２）前記判別手段は、
前記全光量信号のレベルをAS（mV）、
前記メインプッシュプル信号の振幅をMTE（mV）、
前記情報記録層の数をL、としたとき、
L×AS／MTE、L×AS２／MTE、又はL×AS／MTE２
で算出される値の内のいずれかの値に基づいて、前記ブルーレイディスクが再生専用のディスクであるか記録可能なディスクであるか判別することを特徴とする。
【００１２】
この構成では、上記（１）において判別手段が判別に用いる判別値の一例を明示している。
この構成において、AS信号のレベルにレイヤー数を乗算している理由は、レイヤー数の増加に反比例してブルーレイディスクの反射率が減少するためである。また、MTEの逆数を乗算している理由は、位相差法で再生されるBD−ROMと、プッシュプル法で再生されるLTH型のBD−Rとを区分けするためである。
【００１３】
（３）前記判別手段によって判別される前記ブルーレイディスクの種類は、再生専用のBD−ROM、追記録型のBD−R、及び書き換え型のBD−REであることを特徴とする。
【発明の効果】
【００１４】
この発明によれば、ブルーレイディスクの種類を、誤判別なく、的確に判別することができる。
【発明を実施するための最良の形態】
【００１５】
以下、本発明の実施形態である光ディスク装置について、図面を参照しながら説明する。
【００１６】
図１は、本発明の実施形態である光ディスク装置の主要な構成を示すブロック図である。光ディスク装置１は、所謂ブルーレイプレーヤである。光ディスク装置１は、図１に示すように、スピンドルモータ３と、ピックアップ４と、RFアンプ５と、再生部１０と、制御部１１と、フォーカスサーボ回路１２と、トラッキングサーボ回路１３と、ドライバ回路１４と、駆動パルス発生回路１５と、加算器１６と、操作部２０と、を備える。
【００１７】
ブルーレイディスク２の種類には、再生専用のBD−ROM、追記録型のBD−R（Blue-Ray Disc Recordable）、書き換え型のBD−RE（Blue-Ray Disc Rewritable）がある。さらに、BD−Rには、記録層に有機系素材を使用し、レーザ光を照射して反射率を下げることで記録するLTH（Low To High）型のBD−Rと、記録層に無機系素材を使用し、レーザ光を照射して反射率を上げることで記録するHTL（High To Low）型のBD−Rと、がある。また、各種類のブルーレイディスク２には、１層（Single）型のディスク，２層（Dual）型のディスク等がある。ブルーレイディスク２はスピンドルモータ３により回転駆動される。
【００１８】
ピックアップ４は、図示しないレーザダイオード（以下、LDと称する）、コリメータレンズ、ビームスプリッタ、対物レンズ、フォトディテクタ、スレッドモータ、２軸のアクチュエータを備えている。
【００１９】
ピックアップ４は、ブルーレイディスク２の半径方向に延びる軸に移動自在に取り付けられている。スレッドモータが、ピックアップ４をブルーレイディスク２の半径方向に移動する。LDは、レーザ光を出力する光源である。対物レンズは、ブルーレイディスク２に対するレーザ光の照射位置を調節する。また、２軸のアクチュエータは、対物レンズをブルーレイディスク２に接離する方向、およびブルーレイディスク２の半径方向に移動させる。
【００２０】
また、このピックアップ４のフォトディテクタは、図２に示すように、４分割のフォトダイオードA，B，C，Dから構成される。フォトディテクタは、LDが対物レンズを介してブルーレイディスク２の信号面にレーザビームを照射することにより得られた反射光を受光する。そして、フォトディテクタは、フォトダイオードA，B，C，Dで検出した検出信号A，B，C，DをRFアンプ５に供給する。
【００２１】
RFアンプ５は、ピックアップ４から供給された検出信号A，B，C，Dを用いて（A＋B＋C＋D）の演算を行い、この演算結果であるRF信号を生成する。さらに、RFアンプ５は、RF信号を増幅する。そして、RFアンプ５は、RF信号を図示しない波形整形回路を用いて波形整形することにより２値化RF信号に変換する。そして、RFアンプ５は、この変換した２値化RF信号を再生部１０に出力する。
【００２２】
また、RFアンプ５は、ピックアップ４から供給された検出信号A，B，C，Dを用いて（A＋C）−（B＋D）の演算を行い、この演算結果であるフォーカスエラー信号（以下、FE信号という。）を生成する。そして、RFアンプ５は、FE信号を制御部１１に出力する。
【００２３】
図３は、MPP信号とAS信号を生成する生成回路の一例を示す図である。
プッシュプル法で再生する場合、RFアンプ５は、ピックアップ４から供給された検出信号A，B，C，Dを用いて（A+D）−（B+C）の演算を演算器５２で行い、この演算結果であるメインプッシュプル信号（以下、MPP信号という。）を生成する。MＰＰ（Main Beam Push-Pull）信号は、メインスポットのトラックの接線方向に関して２分割された成分の差を示す。RFアンプ５は、MPP信号を制御部１１に出力する。
【００２４】
一方、位相差法（Differential Phase Detection）で再生する場合、RFアンプ５は、ピックアップ４から供給された検出信号A，B，C，Dを用いて（A+ C）と（B+ D）の位相を比較し、この位相差を示す位相差信号を生成する。RFアンプ５は、位相差信号を制御部１１に出力する。
なお、上記MPP信号と上記位相差信号とは、トラッキングエラー信号とも呼ばれる。
【００２５】
さらに、RFアンプ５は、ピックアップ４から供給された検出信号A，B，C，Dに基づいて、（A+D）+（B+C）の演算を演算器５１で行い、ピックアップ４のフォトディテクタが受光した全光量に対応する電気信号の総和を示すAS信号を生成する。このAS信号は、RF信号の低周波成分の信号であり、光ディスクの反射率を示す。RFアンプ５は、この生成したAS信号を制御部１１に出力する。
【００２６】
制御部１１は、例えばマイクロコンピュータで構成される。制御部１１は、制御プログラムを記憶するROM１１Ａと、その制御プログラムで処理されるデータを展開するためのワークフィールドとしてのRAM１１Bと、動作実行状態などを保持するレジスタ１１Ｃとを内蔵する。
制御部１１は、装置本体各部の動作を制御する。また、制御部１１は、FE信号を監視しつつ、入力されるFE信号をフォーカスサーボ回路１２に伝送する。また、制御部１１は、入力されるMPP信号又は位相差信号をトラッキングサーボ回路１３に伝送する。
【００２７】
フォーカスサーボ回路１２は、RFアンプ５から制御部１１を介して入力されたFE信号に基づいて、FE信号の値を０（基準レベル）にするためのフォーカシングサーボ信号を生成し、加算器１６を介してドライバ回路１４に出力する。
【００２８】
トラッキングサーボ回路１３は、RFアンプ５から制御部１１を介して入力されたMPP信号又は位相差信号に基づいて、MPP信号又は位相差信号の値を０（基準レベル）にするためのトラッキングサーボ信号を生成し、ドライバ回路１４に出力する。
【００２９】
ドライバ回路１４は、入力された信号を増幅した駆動電圧をアクチュエータに供給し、ピックアップ４の対物レンズをブルーレイディスク２に対して光軸方向に移動し、ブルーレイディスク２の情報記録面にレーザ光を合焦させるフォーカスサーボ制御を行う。さらに、ドライバ回路１４は、トラッキングサーボ信号を増幅した駆動電圧をアクチュエータに供給し、ピックアップ４の対物レンズをブルーレイディスク２の半径方向に移動し、ブルーレイディスク２のトラックの中心にレーザ光を照射させるトラッキングサーボ制御を行う。
【００３０】
フォーカスサーボ制御およびトラッキングサーボ制御を行うことで、レーザ光を所望のトラックに追随させるとともにこのトラックにレーザ光の焦点を合わせることができる。また、光ディスク装置１では、スピンドルモータ３でブルーレイディスク２を目標回転数で回転させるスピンドルサーボ制御も行っているが、図１では図示を省略している。
【００３１】
次に、再生部１０は、RFアンプ５から供給された２値化RF信号に対して復調処理を行い、オーディオ・ビデオデータを生成し、この生成したオーディオ・ビデオデータを（例えばMPEGで）デコードする。さらに、再生部１０は、オーディオ・ビデオデータをD／A変換し、装置本体に接続されるテレビジョン等に出力する。ユーザは、このテレビジョンにおいて、オーディオ・ビデオデータに基づく音声・映像を視聴する。
【００３２】
操作部２０は、ユーザからの操作入力を受け付ける複数のキーが設けられている。複数のキーには、例えばセットされている光ディスクの再生を受け付ける再生キーがある。
【００３３】
駆動パルス発生回路１５は、制御部１１の指示に基づいて、レイヤージャンプを行うためのジャンプパルス等の駆動パルスを発生し、駆動パルスを加算器１６に出力する。
【００３４】
加算器１６は、フォーカスサーボ回路１２からの出力信号と、駆動パルス発生回路１５からの駆動パルスとを加算し、ドライバ回路１４に出力する。
【００３５】
図４は、本発明の実施形態である光ディスク装置の制御部が行う光ディスク判別処理を示すフローチャートである。ブルーレイディスク２が装置本体にセットされると、制御部２は、光ディスク判別処理を実行する。
【００３６】
制御部１１は、所定のレーザ強度を示す読取パワーのレーザ光をLDに照射させ、RFアンプ５で生成されるAS信号とMPP信号とを取得する（S１、S２）。これにより、制御部１１は、AS信号のレベルAS（mV）、メインプッシュプル信号の振幅MTE（mV）をRAM１１Bに格納する。ここで、制御部１１がRAM１１Bに格納するAS信号のレベルASは、AS信号の最大レベル（mV）である。
【００３７】
制御部１１は、ブルーレイディスク２のレイヤー数Lを調査する（S３）。具体的には、制御部１１は、AS信号に基づいて、例えば、ブルーレイディスク２の光の反射率が４５〜８５％である場合には片面１層であると判定し、光の反射率が１８〜３０％である場合には片面２層であると判定する。または、制御部１１は、対物レンズ４Aをブルーレイディスク２の情報記録面と接離させる方向に移動させる駆動パルスを駆動パルス発生回路１５に発生させ、生成されるFE信号からS字の数（即ちレイヤー数L）を調べる方法もある。
【００３８】
以下、最も判別し難い４種類のブルーレイディスク（２層型のBD−ROM、１層型のBD−RE、２層型のBD−RE、及びLTH型の１層型のBD−R）の判別について説明する。まず、L×AS＝FS_TOTALの式で算出されるFS_TOTALについて以下説明する。
【００３９】
図５は、５台の光ディスク装置のそれぞれで生成されたAS信号のレベルにレイヤー数を乗算した値とブルーレイディスク２の種類との関係を示すグラフである。このグラフは、１枚のブルーレイディスク２のAS信号のレベルASを５台の光ディスク装置（Mex015、Mec012、Mec 014、Mec 011、及びMec 018）のそれぞれで測定した実験結果である。AS信号のレベルASにレイヤー数Ｌを乗算している理由は、レイヤー数の増加に反比例してブルーレイディスク２の反射率が減少するためである。例えば、２層型のブルーレイディスク２の反射率は１層型のブルーレイディスク２の反射率の約半分である。
【００４０】
BD−ROM、BD−R及びBD−REのそれぞれには反射光量に違いがあるため、ある程度種類を判別することができる。しかし、２層型のBD−ROMと１層型のBD−REとの反射率の違いが小さいため、図５に示すように、２層型のBD−ROMのFS_TOTALの最小値と１層型のBD−REのFS_TOTALの最大値との差分である判別余裕度ΔYが狭い。また、２層型のBD−ROMとLTH型のBD−Rとの反射率がほぼ同じであるため、両者を判別することができない。
【００４１】
次に、MTE／AS＝MTE_TSの式で算出されるMTE_TSについて説明する。
【００４２】
図６は、上記５台の光ディスク装置のそれぞれで生成されたMPP信号の振幅をAS信号のレベルで割算した値とブルーレイディスク２の種類との関係を示すグラフである。このグラフは、１枚のブルーレイディスク２のMPP信号の振幅MTEを５台の光ディスク装置のそれぞれで測定した実験結果である。MPP信号の振幅MTEをAS信号のレベルASで割算した理由は、ブルーレイディスク２の種類毎の反射率の違いを吸収するためである。
【００４３】
MPP信号の振幅MTEは、２層型のBD−ROMが位相差法で再生するディスクであるため、図６に示すように２層型のBD−ROMで最も低くなっている。しかし、２層型のBD−ROMと他の記録型ディスクとの振幅MTEの違いが小さいため、２層型のBD−ROMのMTE_TSの最大値と他の記録型ディスクのMTE_TSの最小値との差分である判別余裕度ΔYも狭い。
【００４４】
そこで、制御部１１は、調査したレイヤー数Lと、RAM１１Bに格納したAS信号のレベルASと、RAM１１Bに格納したMPP信号の振幅MTEの逆数と、に基づいて、ブルーレイディスク２の種類を判別するための判別値を算出する（S４）。この判別値には、L×AS２／MTEで算出される第１判別値と、L×AS／MTEで算出される第２判別値と、L×AS／MTE２で算出される第３判別値と、レイヤー数LとAS信号のレベルASとMPP信号の振幅MTEの逆数とのその他の組み合わせで算出される第４判別値と、があり、いずれの判別値を採用しても構わない。
【００４５】
そして、制御部１１は、S４で算出した判別値に基づいて、ブルーレイディスク２が再生専用のディスクであるか記録可能なディスクであるか判別する（S５）。
【００４６】
図７は、上記５台の光ディスク装置のそれぞれで算出された判別値とブルーレイディスク２の種類との関係を示すグラフである。図７（Ａ）は、L×AS２／MTEで算出される第１判別値を示し、図７（B）は、L×AS／MTEで算出される第２判別値を示し、図７（Ｃ）は、L×AS／MTE２で算出される第３判別値を示す。ここで、MTEの逆数を乗算した理由は、位相差法で再生されるBD−ROMと、プッシュプル法で再生されるLTH型のBD−Rとを区分けするためである。
【００４７】
図７（Ａ）〜（Ｃ）に示すように、L×ASにMTEの逆数を乗算した判別値を採用した場合、判別値の閾値を設定できる範囲を示す判別余裕度ΔYが図５及び図６の判別余裕度ΔYと比べて非常に大きいことが実験により明らかとなっている。そのため、その判別余裕度ΔYの広さから、ピックアップやブルーレイディスクの個体差を考慮した閾値に設定できる。よって、ピックアップやブルーレイディスクの個体差によって誤判別することが無い。また、同判別値を用いた場合、図７（Ａ）〜（Ｃ）に示すように、２層型のBD−ROMの判別値とLTH型のBD−Rの判別値との違いが大きいことも実験により明らかとなっている。そのため、２層型のBD−ROMとLTH型のBD−Rとを的確に判別できる。
なお、第１判別値ではASに重み付けを行っているため、第２判別値と第３判別値に比べて５台の光ディスク装置間の第１判別値のばらつきが小さいことが実験により明らかとなっている（図７（Ａ）〜（Ｃ）参照）。従って、第１判別値を採用した場合、光ディスク装置の個体差による影響を受け難いという効果を奏する。
【００４８】
図８は、上記５台の内の１台の光ディスク装置でレーザパワーの強度を変えて算出された判別値とブルーレイディスク２の種類との関係を示すグラフである。このグラフは、その１台の光ディスク装置１でレーザパワーの強度を最大・中・最小と大幅に変化させてレーザを１枚のブルーレイディスク２に照射し、判別値を測定した実験結果である。図８（Ａ）は、L×AS２／MTEで算出される第１判別値を示し、図８（B）は、L×AS／MTEで算出される第２判別値を示し、図８（Ｃ）は、L×AS／MTE２で算出される第３判別値を示す。
【００４９】
図８（Ａ）〜（Ｃ）に示すように、第１〜第３のいずれの判別値を採用しても、レーザパワー最小でBD−ROMから得られる判別値と、レーザパワー最大で記録型ディスクから得られる判別値と、の間に差ΔＸがあることが実験により明らかとなっている。このように、レーザパワーの強度を大幅に変化させても差ΔＸがあるため、BD−ROMと記録型ディスクとを誤判別なく判別できる。
なお、第３判別値ではMTEに重み付けを行っているため、第１判別値と第２判別値に比べて差ΔＸが大きいことが実験により明らかとなっている（図８（Ａ）〜（Ｃ）参照）。従って、第３判別値を採用した場合、光ディスク装置間のレーザパワーのばらつきによる影響を受け難いという効果を奏する。
【００５０】
以上より、光ディスク装置１では、ブルーレイディスク２の種類を、誤判別なく、的確に判別することができる。従って、誤判別により再生されず、光ディスク装置１が故障してしまったのではないかとユーザに誤解されるおそれが無い。また、２層型のBD−ROMとLTH型のBD−Rとを別途判別する必要も無いため、ユーザを長時間待たせてしまうのを防ぐことができる。
【００５１】
Ｓ５の後、ブルーレイディスク２が再生専用型のBD−ROMディスクであれば（Ｓ６YES）、即ち判別余裕度ΔYの範囲で設定した閾値をS４で算出した判別値が超えていれば、制御部１１は、制御プログラムの動作モードをBD−ROM再生用にセットする（Ｓ７）。その後、制御部１１は、ユーザからの操作入力を待ち受ける入力待ち状態に移行する。そして、ユーザが再生キーを押下すると、制御部１１は、BD−ROMに応じた再生制御（即ち、位相差法による再生など）を行う。一方、ブルーレイディスク２が記録型ディスクであれば（Ｓ６NO）、即ち判別余裕度ΔYの範囲で設定した閾値をS４で算出した判別値が超えていなければ、制御部１１は、記録型ディスク（BD−R、BD−RE）の判別を続ける。
【図面の簡単な説明】
【００５２】
【図１】本発明の実施形態である光ディスク装置の主要な構成を示すブロック図
【図２】フォトディテクタに設けられたフォトダイオードの配置図
【図３】MPP信号とAS信号を生成する生成回路の一例を示す図
【図４】本発明の実施形態である光ディスク装置の制御部が行う光ディスク判別処理を示すフローチャート
【図５】５台の光ディスク装置のそれぞれで生成されたAS信号のレベルにレイヤー数を乗算した値とブルーレイディスクの種類との関係を示すグラフ
【図６】上記５台の光ディスク装置のそれぞれで生成されたMPP信号の振幅をAS信号のレベルで割算した値とブルーレイディスクの種類との関係を示すグラフ
【図７】上記５台の光ディスク装置のそれぞれで算出された判別値とブルーレイディスクの種類との関係を示すグラフ
【図８】上記５台の内の１台の光ディスク装置でレーザパワーの強度を変えて算出された判別値とブルーレイディスクの種類との関係を示すグラフ
【符号の説明】
【００５３】
１…光ディスク装置
２…ブルーレイディスク
３…スピンドルモータ
４…ピックアップ
５…RFアンプ
１０…再生部
１１…制御部
１２…フォーカスサーボ回路
１３…トラッキングサーボ回路
１４…ドライバ回路
１５…駆動パルス発生回路
１６…加算器
２０…操作部
５１…演算器
５２…演算器
【図１】
2010140570.tif 000003
【図２】
2010140570.tif 000004
【図３】
2010140570.tif 000005
【図４】
2010140570.tif 000006
【図５】
2010140570.tif 000007
【図６】
2010140570.tif 000008
【図７】
2010140570.tif 000009
【図８】
2010140570.tif 000010